(57)【要約】【課題】移行前のシステムに記憶されている電子レセプトを、他のシステムでも活用可能にする技術を提供する。【解決手段】マージ前診療報酬データ記憶部から取得した医科診療報酬医保データと医科診療報酬国保データと歯科診療報酬医保データと歯科診療報酬国保データとの少なくともいずれか２つ以上のデータをマージすることでマージ後診療報酬データを生成する診療報酬データマージ部１１０と、カルテ番号をキーとしてマージ後診療報酬データを検索することで抽出したデータと、カルテ番号とを対応付けた移行データを移行データ記憶部２３０に記憶する移行データ変換部１２０とを有する。【選択図】図１
2016099978.tif 000002
【特許請求の範囲】
【請求項１】
マージ前診療報酬データ記憶部から取得した医科診療報酬医保データと医科診療報酬国保データと歯科診療報酬医保データと歯科診療報酬国保データとの少なくともいずれか２つ以上のデータをマージすることでマージ後診療報酬データを生成する診療報酬データマージ部と、
カルテ番号をキーとして前記マージ後診療報酬データを検索することで抽出したデータと、前記カルテ番号とを対応付けた移行データを移行データ記憶部に記憶する移行データ変換部と、
を有する、診療報酬データ変換システム。
【請求項２】
請求項１に記載の診療報酬データ変換システムにおいて、
前記移行データ変換部は、前記カルテ番号をキーとして前記マージ後診療報酬データを検索することで氏名と性別と生年月日を抽出し、前記カルテ番号と抽出した前記氏名と前記性別と前記生年月日とを対応付けた患者基本情報移行データを前記移行データ記憶部に記憶する、診療報酬データ変換システム。
【請求項３】
請求項１に記載の診療報酬データ変換システムにおいて、
前記移行データ変換部は、前記カルテ番号をキーとして前記マージ後診療報酬データを検索することで保険者番号と被保険者記号と被保険者番号とを抽出し、前記カルテ番号と抽出した前記保険者番号と前記被保険者記号と前記被保険者番号とを対応付けた患者保険情報移行データを前記移行データ記憶部に記憶する、診療報酬データ変換システム。
【請求項４】
請求項１に記載の診療報酬データ変換システムにおいて、
前記移行データ変換部は、前記カルテ番号をキーとして前記マージ後診療報酬データを検索することで診療行為コードと診療種別と数量データと点数とを抽出し、前記カルテ番号と抽出した前記診療行為コードと前記診療種別と前記数量データと前記点数とを対応付けた診療行為情報移行データを前記移行データ記憶部に記憶する、診療報酬データ変換システム。
【請求項５】
請求項１に記載の診療報酬データ変換システムにおいて、
前記移行データ変換部は、前記カルテ番号をキーとして前記マージ後診療報酬データを検索することで医薬品コードと診療種別と使用量と点数とを抽出し、前記カルテ番号と抽出した前記医薬品コードと前記診療種別と前記使用量と前記点数とを対応付けた医薬品情報移行データを前記移行データ記憶部に記憶する、診療報酬データ変換システム。
【請求項６】
請求項１に記載の診療報酬データ変換システムにおいて、
医薬品コードをキーとして前記マージ後診療報酬データを検索することで抽出したデータの数を人数としてカウントし、前記医薬品コードと、抽出したデータと、前記人数とを対応付けた医薬品頻度集計データを集計データ記憶部に記憶する頻度集計データ生成部を有する、診療報酬データ変換システム。
【請求項７】
請求項１に記載の診療報酬データ変換システムにおいて、
診療行為コードをキーとして前記マージ後診療報酬データを検索することで抽出したデータの数を人数としてカウントし、前記診療行為コードと、抽出したデータと、前記人数とを対応付けた診療行為頻度集計データを集計データ記憶部に記憶する頻度集計データ生成部を有する、診療報酬データ変換システム。
【請求項８】
請求項１に記載の診療報酬データ変換システムにおいて、
傷病名コードをキーとして前記マージ後診療報酬データを検索することで抽出したデータの数を人数としてカウントし、前記傷病名コードと、抽出したデータと、前記人数とを対応付けた病名頻度集計データを集計データ記憶部に記憶する頻度集計データ生成部を有する、診療報酬データ変換システム。
【請求項９】
マージ前診療報酬データ記憶部から取得した各データをマージすることでマージ後診療報酬データを生成する診療報酬データマージ部と、前記マージ後診療報酬データを他のシステムでも利用可能な移行データへ変換する移行データ変換部とを有する、診療報酬データ変換方法であって、
前記診療報酬データマージ部が、マージ前診療報酬データ記憶部から取得した医科診療報酬医保データと医科診療報酬国保データと歯科診療報酬医保データと歯科診療報酬国保データとの少なくともいずれか２つ以上のデータをマージすることで前記マージ後診療報酬データを生成するマージ後診療報酬データ生成ステップと、
前記診療報酬データマージ部が、生成した前記マージ後診療報酬データをマージ後診療報酬データ記憶部に記憶するマージ後診療報酬データ記憶ステップと、
前記移行データ変換部が、カルテ番号をキーとして前記マージ後診療報酬データ記憶部に記憶されている前記マージ後診療報酬データを検索することで抽出したデータと、前記カルテ番号とを対応付けた移行データを移行データ記憶部に記憶する移行データ記憶ステップと、
を有する、診療報酬データ変換方法。
【請求項１０】
マージ前診療報酬データ記憶部から取得した各データをマージすることでマージ後診療報酬データを生成する診療報酬データマージ部と、前記マージ後診療報酬データを他のシステムでも利用可能な移行データへ変換する移行データ変換部とを有する診療報酬データ変換システムのコンピュータに実行させる診療報酬データ変換プログラムであって、
前記診療報酬データマージ部が、マージ前診療報酬データ記憶部から取得した医科診療報酬医保データと医科診療報酬国保データと歯科診療報酬医保データと歯科診療報酬国保データとの少なくともいずれか２つ以上のデータをマージすることで前記マージ後診療報酬データを生成するマージ後診療報酬データ生成ステップと、
前記診療報酬データマージ部が、生成した前記マージ後診療報酬データをマージ後診療報酬データ記憶部に記憶するマージ後診療報酬データ記憶ステップと、
前記移行データ変換部が、カルテ番号をキーとして前記マージ後診療報酬データ記憶部に記憶されている前記マージ後診療報酬データを検索することで抽出したデータと、前記カルテ番号とを対応付けた移行データを移行データ記憶部に記憶する移行データ記憶ステップと、
を前記コンピュータに実行させる、診療報酬データ変換プログラム。
【発明の詳細な説明】
【技術分野】
【０００１】
本発明は、診療報酬データ変換システムおよび診療報酬データ変換方法ならびに診療報酬データ変換プログラムに関する。
【背景技術】
【０００２】
医療機関は、診療報酬明細書に記載される診療報酬点数に基づき診療報酬を請求する。近年、診療報酬明細書に記載される各データを電子化した電子レセプトが普及してきている。そして、ペーパーレス化の要請により、対象となる患者の電子レセプトをオンラインで審査支払機関に提出することとなってきている。
【０００３】
特開２０１０−１４０４５７号公報（特許文献１）には、「保険医療機関が審査支払機関に診療報酬を請求するための電子レセプトデータを、紙レセプトイメージデータに変換する電子レセプト変換システムであって、電子レセプトデータの各データ項目と紙レセプトイメージデータへの設定箇所とを対応付けた変換用データベースと、電子レセプトデータのデータ項目についてチェック事項が設定されたチェック用データベースと、電子レセプトデータを入力するデータ入力手段と、電子レセプトデータを変換用データベースを用いて紙レセプトイメージデータに変換する変換手段と、チェック用データベースを参照して電子レセプトデータのエラーを検出するエラーチェック手段と、変換した紙レセプトイメージデータを出力する出力手段とを有する。」と記載されている。
【先行技術文献】
【特許文献】
【０００４】
【特許文献１】特開２０１０−１４０４５７号公報
【発明の概要】
【発明が解決しようとする課題】
【０００５】
移行前のシステムに記憶されている電子レセプトを他のシステムへと移行する場合、電子レセプトを他のシステムでも活用できるように変換する必要がある。
【０００６】
本発明の目的は、移行前のシステムに記憶されている電子レセプトを、他のシステムでも活用可能にする技術を提供することである。
【課題を解決するための手段】
【０００７】
本願において開示される発明のうち、代表的なものの概要を簡単に説明すれば、次の通りである。
【０００８】
本発明の一実施の形態の診療報酬データ変換システムは、マージ前診療報酬データ記憶部から取得した医科診療報酬医保データと医科診療報酬国保データと歯科診療報酬医保データと歯科診療報酬国保データとの少なくともいずれか２つ以上のデータをマージすることでマージ後診療報酬データを生成する診療報酬データマージ部を有する。また、カルテ番号をキーとして前記マージ後診療報酬データを検索することで抽出したデータと、前記カルテ番号とを対応付けた移行データを移行データ記憶部に記憶する移行データ変換部を有する。
【０００９】
また、本発明の一実施の形態の診療報酬データ変換方法は、マージ前診療報酬データ記憶部から取得した各データをマージすることでマージ後診療報酬データを生成する診療報酬データマージ部と、前記マージ後診療報酬データを他のシステムでも利用可能な移行データへ変換する移行データ変換部とを有し、前記診療報酬データマージ部が、マージ前診療報酬データ記憶部から取得した医科診療報酬医保データと医科診療報酬国保データと歯科診療報酬医保データと歯科診療報酬国保データとの少なくともいずれか２つ以上のデータをマージすることで前記マージ後診療報酬データを生成するマージ後診療報酬データ生成ステップを有する。また、前記診療報酬データマージ部が、生成した前記マージ後診療報酬データをマージ後診療報酬データ記憶部に記憶するマージ後診療報酬データ記憶ステップを有する。また、前記移行データ変換部が、カルテ番号をキーとして前記マージ後診療報酬データ記憶部に記憶されている前記マージ後診療報酬データを検索することで抽出したデータと、前記カルテ番号とを対応付けた移行データを移行データ記憶部に記憶する移行データ記憶ステップを有する。
【００１０】
また、本発明の一実施の形態の診療報酬データ変換プログラムは、マージ前診療報酬データ記憶部から取得した各データをマージすることでマージ後診療報酬データを生成する診療報酬データマージ部と、前記マージ後診療報酬データを他のシステムでも利用可能な移行データへ変換する移行データ変換部とを有する診療報酬データ変換システムのコンピュータに実行させる診療報酬データ変換プログラムであって前記診療報酬データマージ部が、マージ前診療報酬データ記憶部から取得した医科診療報酬医保データと医科診療報酬国保データと歯科診療報酬医保データと歯科診療報酬国保データとの少なくともいずれか２つ以上のデータをマージすることで前記マージ後診療報酬データを生成するマージ後診療報酬データ生成ステップを前記コンピュータに実行させる。また、前記診療報酬データマージ部が、生成した前記マージ後診療報酬データをマージ後診療報酬データ記憶部に記憶するマージ後診療報酬データ記憶ステップを前記コンピュータに実行させる。また、前記移行データ変換部が、カルテ番号をキーとして前記マージ後診療報酬データ記憶部に記憶されている前記マージ後診療報酬データを検索することで抽出したデータと、前記カルテ番号とを対応付けた移行データを移行データ記憶部に記憶する移行データ記憶ステップを前記コンピュータに実行させる。
【発明の効果】
【００１１】
本願において開示される発明のうち、代表的なものによって得られる効果を簡単に説明すれば以下のとおりである。
【００１２】
本発明の代表的な実施の形態によれば、移行前のシステムに記憶されている電子レセプトが他のシステムでも活用可能になる。
【図面の簡単な説明】
【００１３】
【図１】本発明の一実施の形態における診療報酬データ変換システムの構成例の概要を示す図である。
【図２】本発明の一実施の形態におけるマージ前診療報酬データ記憶部に記憶されているマージ前診療報酬データの構成例の概要を示す図である。
【図３】本発明の一実施の形態におけるマージ前診療報酬データ記憶部に記憶されている医科診療報酬医保データの構成例の概要を示す図である。
【図４】本発明の一実施の形態におけるマージ前診療報酬データ記憶部に記憶されている医科診療報酬国保データの構成例の概要を示す図である。
【図５】本発明の一実施の形態におけるマージ前診療報酬データ記憶部に記憶されている歯科診療報酬医保データの構成例の概要を示す図である。
【図６】本発明の一実施の形態におけるマージ前診療報酬データ記憶部に記憶されている歯科診療報酬国保データの構成例の概要を示す図である。
【図７】本発明の一実施の形態におけるマージ後診療報酬データ記憶部に記憶されているマージ後診療報酬データの構成例の概要を示す図である。
【図８】本発明の一実施の形態における移行データ記憶部に記憶されている患者基本情報移行データテーブルの構成例の概要を示す図である。
【図９】本発明の一実施の形態における移行データ記憶部に記憶されている患者保険情報移行データテーブルの構成例の概要を示す図である。
【図１０】本発明の一実施の形態における移行データ記憶部に記憶されている患者病名情報移行データテーブルの構成例の概要を示す図である。
【図１１】本発明の一実施の形態における移行データ記憶部に記憶されている診療行為情報移行データテーブルの構成例の概要を示す図である。
【図１２】本発明の一実施の形態における移行データ記憶部に記憶されている医薬品情報移行データテーブルの構成例の概要を示す図である。
【図１３】本発明の一実施の形態における集計データ記憶部に記憶されている医薬品頻度集計データテーブルの構成例の概要を示す図である。
【図１４】本発明の一実施の形態における集計データ記憶部に記憶されている診療行為頻度集計データテーブルの構成例の概要を示す図である。
【図１５】本発明の一実施の形態における集計データ記憶部に記憶されている病名頻度集計データテーブルの構成例の概要を示す図である。
【図１６】本発明の一実施の形態における診療報酬データマージ処理の概要を示す図である。
【図１７】本発明の一実施の形態における移行データ変換処理の概要を示す図である。
【図１８】本発明の一実施の形態における医薬品頻度集計データ生成処理の概要を示す図である。
【図１９】本発明の一実施の形態における診療行為頻度集計データ生成処理の概要を示す図である。
【図２０】本発明の一実施の形態における病名頻度集計データ生成処理の概要を示す図である。
【発明を実施するための形態】
【００１４】
以下、本発明の実施の形態を図面に基づいて詳細に説明する。なお、実施の形態を説明するための全図において、同一部には原則として同一の符号を付し、その繰り返しの説明は省略する。
【００１５】
＜システム構成＞
図１は、本発明の一実施の形態における診療報酬データ変換システム１０の構成例の概要を示す図である。図１に示されるように診療報酬データ変換システムは、診療報酬データマージ部１１０と、移行データ変換部１２０と、頻度集計データ生成部１３０と、マージ前診療報酬データ記憶部２１０と、マージ後診療報酬データ記憶部２２０と、移行データ記憶部２３０と、集計データ記憶部２４０とを有する。
【００１６】
また、診療報酬データ変換システム１０は、所定のハードウェアおよびソフトウェアにより実装される。例えば、診療報酬データ変換システム１０は、プロセッサやメモリなどを有するコンピュータにより構成され、プロセッサにより実行されるメモリ上のプログラムが、診療報酬データ変換システム１０としてコンピュータを機能させる。
【００１７】
診療報酬データマージ部１１０は、マージ前診療報酬データ記憶部２１０から取得した医科診療報酬医保データ（後述、図３）と、医科診療報酬国保データ（後述、図４）と、歯科診療報酬医保データ（後述、図５）と、歯科診療報酬国保データ（後述、図６）とをマージすることで、マージ後診療報酬データ（後述、図７）を生成し、マージ後診療報酬データ記憶部２２０に記憶する。なお、診療報酬データマージ部１１０は、医科診療報酬医保データと、医科診療報酬国保データと、歯科診療報酬医保データと、歯科診療報酬国保データとの少なくともいずれか２つ以上のデータをマージすることでマージ後診療報酬データを生成しても良い。
【００１８】
移行データ変換部１２０は、カルテの番号であるカルテ番号をキーとしてマージ後診療報酬データ記憶部２２０に記憶されているマージ後診療報酬データを検索することで抽出したデータとカルテ番号とを対応付けた移行データを移行データ記憶部２３０に記憶する。
【００１９】
具体的には、移行データ変換部１２０は、カルテ番号をキーとしてマージ後診療報酬データを検索することで患者の氏名と、患者の性別と、患者の生年月日とを抽出する。そして、移行データ変換部１２０は、カルテ番号と、抽出した氏名と性別と生年月日とを対応付けた患者基本情報移行データ（後述、図８）を移行データ記憶部２３０に記憶する。
【００２０】
また、移行データ変換部１２０は、カルテ番号をキーとしてマージ後診療報酬データを検索することで保険者番号と被保険者記号と被保険者番号とを抽出する。そして、移行データ変換部１２０は、カルテ番号と、抽出した保険者番号と被保険者記号と被保険者番号とを対応付けた患者保険情報移行データ（後述、図９）を移行データ記憶部２３０に記憶する。
【００２１】
また、移行データ変換部１２０は、カルテ番号をキーとしてマージ後診療報酬データを検索することで傷病名コードと診療開始日と修飾語コードと傷病名称とを抽出する。そして、移行データ変換部１２０は、カルテ番号と、抽出した傷病名コードと診療開始日と修飾語コードと傷病名称とを対応付けた患者病名情報移行データ（後述、図１０）を移行データ記憶部２３０に記憶する。
【００２２】
また、移行データ変換部１２０は、カルテ番号をキーとしてマージ後診療報酬データを検索することで診療行為を識別するための診療行為コードと、診療の種別を示す診療種別と、診療の種別についての数量データと、診療報酬点数である点数とを抽出する。そして、移行データ変換部１２０は、カルテ番号と、抽出した診療行為コードと診療種別と数量データと点数とを対応付けた診療行為情報移行データ（後述、図１１）を移行データ記憶部２３０に記憶する。
【００２３】
また、移行データ変換部１２０は、カルテ番号をキーとしてマージ後診療報酬データを検索することで医薬品を識別するための医薬品コードと、診療種別と、医薬品などの使用量と、点数とを抽出する。そして、移行データ変換部１２０は、カルテ番号と、抽出した医薬品コードと診療種別と使用量と点数とを対応付けた医薬品情報移行データ（後述、図１２）を移行データ記憶部２３０に記憶する。
【００２４】
頻度集計データ生成部１３０は、医薬品コードをキーとしてマージ後診療報酬データを検索することで抽出したデータ（診療識別と、使用量と、点数とからなる）の数を人数としてカウントする。また、頻度集計データ生成部１３０は、医薬品コードと、抽出したデータと、人数とを対応付けた医薬品頻度集計データ（後述、図１３）を集計データ記憶部２４０に記憶する。
【００２５】
また、頻度集計データ生成部１３０は、診療行為コードをキーとしてマージ後診療報酬データを検索することで抽出したデータ（診療識別と、数量データと、点数とからなる）の数を人数としてカウントする。また、頻度集計データ生成部１３０は、診療行為コードと、抽出したデータと、人数とを対応付けた診療行為頻度集計データ（後述、図１４）を集計データ記憶部２４０に記憶する。
【００２６】
また、頻度集計データ生成部１３０は、傷病名コードをキーとしてマージ後診療報酬データを検索することで抽出したデータ（診療開始日と、修飾語コードと、傷病名称とからなる）の数を人数としてカウントする。また、頻度集計データ生成部１３０は、傷病名コードと、抽出したデータと、人数とを対応付けた病名頻度集計データ（後述、図１５）を集計データ記憶部２４０に記憶する。
【００２７】
＜マージ前診療報酬データ＞
図２は、本発明の一実施の形態におけるマージ前診療報酬データ記憶部２１０に記憶されているマージ前診療報酬データの構成例の概要を示す図である。マージ前診療報酬データは、例えば、医科診療報酬医保データ（後述、図３）、医科診療報酬国保データ（後述、図４）、歯科診療報酬医保データ（後述、図５）、歯科診療報酬国保データ（後述、図６）が該当する。なお、医科診療報酬医保データと、医科診療報酬国保データと、歯科診療報酬医保データと、歯科診療報酬国保データとを構成するデータ項目はいずれも同一である。
【００２８】
図２に示されるように、マージ前診療報酬データ（医科診療報酬医保データ、医科診療報酬国保データ、歯科診療報酬医保データ、歯科診療報酬国保データ）は、医療機関情報と、レセプト共通情報と、保険者情報と、公費情報と、傷病名情報と、診療行為情報と、医薬品情報と、特定器材情報とを含む。
【００２９】
医療機関情報は、[情報識別コード]、[審査支払機関]、[都道府県]、[点数表]、[医療機関コード]からなる。[情報識別コード]は、情報の種別を識別するためのコードを示す。
【００３０】
レセプト共通情報は、[情報識別コード]、[カルテ番号]、[氏名]、[性別]、[生年月日]からなる。[カルテ番号]は、カルテの番号を示す。[氏名]は、患者の氏名を示す。[性別]は、患者の性別を示す。[生年月日]は、患者の生年月日を示す。
【００３１】
保険者情報は、[情報識別コード]、[保険者番号]、[被保険者証記号]、[被保険者証番号]、[合計点数]からなる。[保険者番号]は、保険者の番号を示す。[被保険者証記号]は、被保険者証を識別するための記号を示す。[被保険者証番号]は、被保険者証の番号を示す。[合計点数]は、１ヵ月間の診療報酬点数の合計値を示す。
【００３２】
公費情報は、[情報識別コード]、[負担者番号]、[受給者番号]、[合計点数]、[負担金額]からなる。[負担者番号]は、負担者の番号を示す。[受給者番号]は、受給者の番号を示す。[負担金額]は、患者が負担する金額を示す。
【００３３】
傷病名情報は、[情報識別コード]、[傷病名コード]、[診療開始日]、[修飾語コード]、[傷病名称]からなる。[傷病名コード]は、傷病名を識別するためのコードを示す。[診療開始日]は、患者が診療を開始した日を示す。[修飾語コード]は、修飾語を識別すためのコードを示す。[傷病名称]は、傷病の名称を示す。
【００３４】
診療行為情報は、[情報識別コード]、[診療識別]、[診療行為コード]、[数量データ]、[点数]からなる。[診療識別]は、診療の種別を示す。[診療行為コード]は、診療行為を識別するためのコードを示す。[数量データ]は、数量の値を示す。[点数]は、診療報酬点数の値を示す。
【００３５】
医薬品情報は、[情報識別コード]、[診療識別]、[医薬品コード]、[使用量]、[点数]からなる。[医薬品コード]は、医薬品を識別するためのコードを示す。[使用量]は、医薬品などの使用量を示す。
【００３６】
特定器材情報は、[情報識別コード]、[診療識別]、[特定器材コード]、[使用量]、[点数]からなる。[特定器材コード]は、特定器材を識別するためのコードを示す。
【００３７】
図３は、医科診療報酬医保データの例を示す図である。図３に示されるように、医療機関情報の[情報識別コード]には、医療機関情報であることを示す「ＩＲ」が、[審査支払機関]には医保のデータであることを示す「１」が、[都道府県]には「１３」が、[点数表]には「１」が、[医療機関コード] には「００００００１」が格納されている。
【００３８】
また、レセプト共通情報の[情報識別コード]には、レセプト共通情報であることを示す「ＲＥ」が、[カルテ番号]には「００００００１」が、[氏名]には「ＸＸ  ＸＸ」が、[性別]には「１」が、[生年月日]には「３６００１０１」が格納されている。
【００３９】
また、保険者情報の[情報識別コード]には、保険者情報であることを示す「ＨＯ」が、[保険者番号]には「ＸＸＸＸＸＸＸＸ」が、[被保険者証記号]には「ＸＸＸＸＸＸＸ」が、[被保険者証番号]には「ＸＸＸＸＸＸＸ」が、[合計点数]には「１０００」が格納されている。
【００４０】
また、公費情報の[情報識別コード]には、公費情報であることを示す「ＫＯ」が、[負担者番号]には「ＸＸＸＸＸＸＸＸ」が、[受給者番号]には「ＸＸＸＸＸＸＸ」が、[合計点数]には「１００」が、[負担金額]には「１０００」が格納されている。
【００４１】
また、傷病名情報の[情報識別コード]には、傷病名情報であることを示す「ＳＹ」が、[傷病名コード]には「００００００１」が、[診療開始日]には「４２００１０１」が、[傷病名称]には「ＸＸＸＸＸＸＸＸ」が格納されている。
【００４２】
また、診療行為情報の[情報識別コード]には、診療行為情報であることを示す「ＳＩ」が、[診療識別]には「１１」が、[診療行為コード]には「００００００００１」が、[数量データ]には「１」が、[点数]には「１００」が格納されている。
【００４３】
また、医薬品情報の[情報識別コード]には、医薬品情報であることを示す「ＩＹ」が、[診療識別]には「２１」が、[医薬品コード]は「００００００００１」が、[使用量]には「１」が、[点数]には「２０」が格納されている。
【００４４】
また、特定器材情報の[情報識別コード]には、特定器材情報であることを示す「ＴＯ」が、[診療識別]には「４０」が、[特定器材コード]には「００００００００１」が、[使用量]には「１」が、[点数]には「１０」が格納されている。
【００４５】
なお、医療機関情報の[審査支払機関]が「１」である場合は、マージ前診療報酬データが医保についてのデータであることを示す。また、医療機関情報の[審査支払機関]が「２」である場合は、マージ前診療報酬データが国保についてのデータであることを示す。
【００４６】
図４は、医科診療報酬国保データの構成例の概要を示す図である。図４に示されるように医科診療報酬国保データの[審査支払機関]には国保のデータであることを示す「２」が格納されている。その他のデータ項目に格納されているデータについては、図３と同一であるため、説明を省略する。
【００４７】
図５は、歯科診療報酬医保データの構成例の概要を示す図である。図５に示されるように歯科診療報酬医保データの傷病名情報には、傷病名の部位が歯であることを示す「ＨＳ」が格納されている。また、歯科診療報酬医保データの診療行為情報には、診療行為が歯科診療であることを示す「ＳＳ」が格納されている。その他のデータ項目に格納されているデータについては、図３と同一であるため、説明を省略する。
【００４８】
図６は、歯科診療報酬国保データの構成例の概要を示す図である。図６に示されるように歯科診療報酬国保データの[審査支払機関]には国保のデータであることを示す「２」が格納されている。その他のデータ項目に格納されているデータについては、図５と同一であるため、説明を省略する。
【００４９】
＜マージ後診療報酬データ＞
図７は、本発明の一実施の形態におけるマージ後診療報酬データ記憶部２２０に記憶されているマージ後診療報酬データの構成例の概要を示す図である。マージ後診療報酬データは、医科診療報酬医保データ（前述、図３）と、医科診療報酬国保データ（前述、図４）と、歯科診療報酬医保データ（前述、図５）と、歯科診療報酬国保データ（前述、図６）とがマージされることで生成される。
【００５０】
より詳細には、診療報酬データマージ部１１０は、各データのうち一致するものについてはマージせず、異なるデータについてマージすることでマージ後診療報酬データを生成する。
【００５１】
例えば、医科診療報酬医保データから抽出した[審査支払機関]には医保についてのデータであることを示す「１」が含まれており、医科診療報酬国保データから抽出した[審査支払機関]に国保についてのデータであることを示す「２」が含まれている場合、診療報酬データマージ部１１０は、[審査支払機関]に格納されるデータが「１，２」であるマージ後診療報酬データを生成する。
【００５２】
＜患者基本情報移行データテーブル＞
図８は、本発明の一実施の形態における移行データ記憶部２３０に記憶されている患者基本情報移行データテーブルの構成例の概要を示す図である。患者基本情報移行データテーブルは、複数の患者基本情報移行データにより構成される。そして、図８に示されるように、患者基本情報移行データは、[カルテ番号]、[氏名]、[性別]、[生年月日]などのデータ項目を有する。
【００５３】
＜患者保険情報移行データテーブル＞
図９は、本発明の一実施の形態における移行データ記憶部２３０に記憶されている患者保険情報移行データテーブルの構成例の概要を示す図である。患者保険情報移行データテーブルは、複数の患者保険情報移行データにより構成される。そして、図９に示されるように、患者保険情報移行データは、[カルテ番号]、[保険者番号]、[被保険者記号]、[被保険者番号]などのデータ項目を有する。
【００５４】
＜患者病名情報移行データテーブル＞
図１０は、本発明の一実施の形態における移行データ記憶部２３０に記憶されている患者病名情報移行データテーブルの構成例の概要を示す図である。患者病名情報移行データテーブルは、複数の患者病名情報移行データにより構成される。そして、図１０に示されるように、患者病名情報移行データは、[カルテ番号]、[傷病名コード]、[診療開始日]、[修飾語コード]、[傷病名称]などのデータ項目を有する。
【００５５】
＜診療行為情報移行データテーブル＞
図１１は、本発明の一実施の形態における移行データ記憶部２３０に記憶されている診療行為情報移行データテーブルの構成例の概要を示す図である。図１１に示されるように診療行為情報移行データテーブルは複数の診療行為情報移行データにより構成される。そして、図１１に示されるように診療行為情報移行データは、[カルテ番号]、[診療行為コード]、[診療種別]、[数量データ]、[点数]などのデータ項目を有する。
【００５６】
＜医薬品情報移行データテーブル＞
図１２は、本発明の一実施の形態における移行データ記憶部２３０に記憶されている医薬品情報移行データテーブルの構成例の概要を示す図である。図１２に示されるように医薬品情報移行データテーブルは複数の医薬品情報移行データにより構成される。そして、図１２に示されるように医薬品情報移行データは、[カルテ番号]、[医薬品コード]、[診療種別]、[使用量]、[点数]などのデータ項目を有する。
【００５７】
＜医薬品頻度集計データテーブル＞
図１３は、本発明の一実施の形態における集計データ記憶部２４０に記憶されている医薬品頻度集計データテーブルの構成例の概要を示す図である。医薬品頻度集計データテーブルは複数の医薬品頻度集計データにより構成される。そして、図１３に示されるように医薬品頻度集計データは、[医薬品コード]、[診療識別]、[使用量]、[点数]、[人数]などのデータ項目を有する。
【００５８】
＜診療行為頻度集計データテーブル＞
図１４は、本発明の一実施の形態における集計データ記憶部２４０に記憶されている診療行為頻度集計データテーブルの構成例の概要を示す図である。診療行為頻度集計データテーブルは複数の診療行為頻度集計データにより構成される。そして、図１４に示されるように診療行為頻度集計データは、[診療行為コード]、[診療識別]、[数量データ]、[点数]、[人数]などのデータ項目を有する。
【００５９】
＜病名頻度集計データテーブル＞
図１５は、本発明の一実施の形態における集計データ記憶部２４０に記憶されている病名頻度集計データテーブルの構成例の概要を示す図である。病名頻度集計データテーブルは複数の病名頻度集計データにより構成される。そして、図１５に示されるように病名頻度集計データは、[傷病名コード]、[診療開始日]、[修飾語コード]、[傷病名称]、[人数]などのデータ項目を有する。
【００６０】
＜診療報酬データマージ処理＞
図１６は、本発明の一実施の形態における診療報酬データマージ処理の概要を示す図である。診療報酬データマージ処理では、診療報酬データマージ部１１０は、マージ前診療報酬データ記憶部２１０から取得した医科診療報酬医保データ（前述、図３）と、医科診療報酬国保データ（前述、図４）と、歯科診療報酬医保データ（前述、図５）と、歯科診療報酬国保データ（前述、図６）とをマージすることで、カルテ番号ごとにマージ後診療報酬データ（前述、図７）を生成する。そして、各カルテ番号と各マージ後診療報酬データとを対応付けてマージ後診療報酬データ記憶部２２０に記憶する。
【００６１】
まず、Ｓ１６０１にて、診療報酬データマージ部１１０は、マージ前診療報酬データ（医科診療報酬医保データと、医科診療報酬国保データと、歯科診療報酬医保データと、歯科診療報酬国保データ）をマージ前診療報酬データ記憶部２１０からすべて取得する。
【００６２】
次に、Ｓ１６０２にて、診療報酬データマージ部１１０は、Ｓ１６０１で取得した医科診療報酬医保データ、医科診療報酬国保データ、歯科診療報酬医保データ、歯科診療報酬国保データのいずれかのデータに含まれる、いずれかのカルテ番号を選択する。なお、診療報酬データマージ部１１０は、未選択のカルテ番号を選択する。
【００６３】
次に、Ｓ１６０３にて、診療報酬データマージ部１１０は、Ｓ１６０２で選択したカルテ番号をキーとして、Ｓ１６０１で取得した医科診療報酬医保データ、医科診療報酬国保データ、歯科診療報酬医保データ、歯科診療報酬国保データを検索する。
【００６４】
そして、診療報酬データマージ部１１０は、キーと対応する医療機関情報と、レセプト共通情報と、保険者情報と、公費情報と、傷病名情報と、診療行為情報と、医薬品情報と、特定器材情報とを医科診療報酬医保データから抽出する。
【００６５】
また、診療報酬データマージ部１１０は、キーと対応する医療機関情報と、レセプト共通情報と、保険者情報と、公費情報と、傷病名情報と、診療行為情報と、医薬品情報と、特定器材情報とを医科診療報酬国保データから抽出する。
【００６６】
また、診療報酬データマージ部１１０は、キーと対応する医療機関情報と、レセプト共通情報と、保険者情報と、公費情報と、傷病名情報と、診療行為情報と、医薬品情報と、特定器材情報とを歯科診療報酬医保データから抽出する。
【００６７】
また、診療報酬データマージ部１１０は、キーと対応する医療機関情報と、レセプト共通情報と、保険者情報と、公費情報と、傷病名情報と、診療行為情報と、医薬品情報と、特定器材情報とを歯科診療報酬国保データから抽出する。
【００６８】
次に、Ｓ１６０４にて、診療報酬データマージ部１１０は、Ｓ１６０３で医科診療報酬医保データから抽出した各データと、医科診療報酬国保データから抽出した各データと、歯科診療報酬医保データから抽出した各データと、歯科診療報酬国保データから抽出した各データとをマージすることで、マージ後診療報酬データを生成する。
【００６９】
より詳細には、診療報酬データマージ部１１０は、Ｓ１６０３から抽出した各データのうち一致するものについてはマージせず、異なるデータについてマージすることでマージ後診療報酬データを生成する。
【００７０】
例えば、医科診療報酬医保データから抽出した[審査支払機関]には医保についてのデータであることを示す「１」が含まれており、医科診療報酬国保データから抽出した[審査支払機関]に国保についてのデータであることを示す「２」が含まれている場合、診療報酬データマージ部１１０は、[審査支払機関]に含まれるデータが「１」および「２」であるマージ後診療報酬データを生成する。
【００７１】
次に、Ｓ１６０５にて、診療報酬データマージ部１１０は、Ｓ１６０４で生成したマージ後診療報酬データを、カルテ番号と対応付けてマージ後診療報酬データ記憶部２２０に記憶する。
【００７２】
次に、Ｓ１６０６にて、診療報酬データマージ部１１０は、Ｓ１６０２ですべてのカルテ番号（Ｓ１６０１にて取得した医科診療報酬医保データ、医科診療報酬国保データ、歯科診療報酬医保データ、歯科診療報酬国保データに含まれるすべてのカルテ番号）を選択したかを判定する。Ｓ１６０６にて、診療報酬データマージ部１１０が、Ｓ１６０２ですべてのカルテ番号を選択していないと判定する場合（Ｓ１６０６−Ｎｏ）、Ｓ１６０２へ戻る。一方、Ｓ１６０６にて、診療報酬データマージ部１１０が、Ｓ１６０２ですべてのカルテ番号を選択したと判定する場合（Ｓ１６０６−Ｙｅｓ）、診療報酬データマージ処理を終了する。
【００７３】
＜移行データ変換処理＞
図１７は、本発明の一実施の形態における移行データ変換処理の概要を示す図である。移行データ変換処理では、移行データ変換部１２０は、マージ後診療報酬データ記憶部２２０から取得したマージ後診療報酬データ（前述、図７）を、患者基本情報移行データ（前述、図８）と、患者保険情報移行データ（前述、図９）と、患者病名情報移行データ（前述、図１０）と、診療行為情報移行データ（前述、図１１）と、医薬品情報移行データ（前述、図１２）とへ変換する。
【００７４】
まず、Ｓ１７０１にて、移行データ変換部１２０は、マージ後診療報酬データ記憶部２２０からマージ後診療報酬データをすべて取得する。
【００７５】
次に、Ｓ１７０２にて、移行データ変換部１２０は、Ｓ１７０１で取得したマージ後診療報酬データに含まれる、いずれかのカルテ番号を選択する。なお、移行データ変換部１２０は、未選択のカルテ番号を選択する。
【００７６】
次に、Ｓ１７０３にて、移行データ変換部１２０は、Ｓ１７０２で選択したカルテ番号をキーとして、Ｓ１７０１で取得したマージ後診療報酬データを検索する。そして、移行データ変換部１２０は、カルテ番号と対応する、氏名と、性別と、生年月日とをすべて抽出する。
【００７７】
次に、Ｓ１７０４にて、移行データ変換部１２０は、Ｓ１７０２で選択したカルテ番号と、Ｓ１７０３で抽出した氏名と、性別と、生年月日とを対応付けた患者基本情報移行データを移行データ記憶部２３０に記憶する。これによって、移行データ記憶部２３０に記憶されている患者基本情報移行データテーブル（前述、図８）に新たな患者基本情報移行データが追加される。
【００７８】
次に、Ｓ１７０５にて、移行データ変換部１２０は、Ｓ１７０２で選択したカルテ番号をキーとして、Ｓ１７０１で取得したマージ後診療報酬データを検索する。そして、移行データ変換部１２０は、カルテ番号と対応する、保険者番号と、被保険者記号と、被保険者番号とをすべて抽出する。
【００７９】
次に、Ｓ１７０６にて、移行データ変換部１２０は、Ｓ１７０２で選択したカルテ番号と、Ｓ１７０５で抽出した保険者番号と、被保険者記号と、被保険者番号とを対応付けた患者保険情報移行データを移行データ記憶部２３０に記憶する。これによって、移行データ記憶部２３０に記憶されている患者保険情報移行データテーブル（前述、図９）に新たな患者保険情報移行データが追加される。
【００８０】
次に、Ｓ１７０７にて、移行データ変換部１２０は、Ｓ１７０２で選択したカルテ番号をキーとして、Ｓ１７０１で取得したマージ後診療報酬データを検索する。そして、移行データ変換部１２０は、カルテ番号と対応する、傷病名コードと、診療開始日と、修飾語コードと、傷病名称とをすべて抽出する。
【００８１】
次に、Ｓ１７０８にて、移行データ変換部１２０は、Ｓ１７０２で選択したカルテ番号と、Ｓ１７０７で抽出した傷病名コードと、診療開始日と、修飾語コードと、傷病名称とを対応付けた患者病名情報移行データを移行データ記憶部２３０に記憶する。これによって、移行データ記憶部２３０に記憶されている患者病名情報移行データテーブル（前述、図１０）に新たな患者病名情報移行データが追加される。
【００８２】
次に、Ｓ１７０９にて、移行データ変換部１２０は、Ｓ１７０２で選択したカルテ番号をキーとして、Ｓ１７０１で取得したマージ後診療報酬データを検索する。そして、移行データ変換部１２０は、カルテ番号と対応する、診療行為コードと、診療種別と、数量データと、点数とをすべて抽出する。
【００８３】
次に、Ｓ１７１０にて、移行データ変換部１２０は、Ｓ１７０２で選択したカルテ番号と、Ｓ１７０９で取得した診療行為コードと、診療種別と、数量データと、点数とを対応付けた診療行為情報移行データを移行データ記憶部２３０に記憶する。これによって、移行データ記憶部２３０に記憶されている診療行為情報移行データテーブル（前述、図１１）に新たな診療行為情報移行データが追加される。
【００８４】
次に、Ｓ１７１１にて、移行データ変換部１２０は、Ｓ１７０２で選択したカルテ番号をキーとして、Ｓ１７０１で取得したマージ後診療報酬データを検索する。そして、移行データ変換部１２０は、カルテ番号と対応する、医薬品コードと、診療種別と、使用量と、点数とをすべて抽出する。
【００８５】
次に、Ｓ１７１２にて、移行データ変換部１２０は、Ｓ１７０２で選択したカルテ番号と、Ｓ１７１１で抽出した医薬品コードと、診療種別と、使用量と、点数とを対応付けた医薬品情報移行データを移行データ記憶部２３０に記憶する。これによって、移行データ記憶部２３０に記憶されている医薬品情報移行データテーブル（前述、図１２）に新たな医薬品情報移行データが追加される。
【００８６】
次に、Ｓ１７１３にて、移行データ変換部１２０は、Ｓ１７０２ですべてのカルテ番号（Ｓ１７０１で取得したマージ後診療報酬データに含まれるすべてのカルテ番号）を選択したかを判定する。Ｓ１７１３にて、移行データ変換部１２０が、Ｓ１７０２ですべてのカルテ番号を選択していないと判定する場合（Ｓ１７１３−Ｎｏ）、Ｓ１７０２へ戻る。一方、Ｓ１７１３にて、移行データ変換部１２０が、Ｓ１７０２ですべてのカルテ番号を選択したと判定する場合（Ｓ１７１３−Ｙｅｓ）、移行データ変換処理を終了する。
【００８７】
＜医薬品頻度集計データ生成処理＞
図１８は、本発明の一実施の形態における医薬品頻度集計データ生成処理の概要を示す図である。医薬品頻度集計データ生成処理では、頻度集計データ生成部１３０は、マージ後診療報酬データ記憶部２２０から取得したマージ後診療報酬データ（前述、図７）に基づき、医薬品頻度集計データ（前述、図１３）を生成する。
【００８８】
まず、Ｓ１８０１にて、頻度集計データ生成部１３０は、マージ後診療報酬データ記憶部２２０からマージ後診療報酬データをすべて取得する。
【００８９】
次に、Ｓ１８０２にて、頻度集計データ生成部１３０は、Ｓ１８０１で取得したマージ後診療報酬データに含まれる、いずれかの医薬品コードを選択する。なお、頻度集計データ生成部１３０は、未選択の医薬品コードを選択する。
【００９０】
次に、Ｓ１８０３にて、頻度集計データ生成部１３０は、Ｓ１８０２で選択した医薬品コードをキーとして、Ｓ１８０１で取得したマージ後診療報酬データを検索する。そして、頻度集計データ生成部１３０は、医薬品コードと対応する、診療識別と、使用量と、点数とをすべて抽出する。
【００９１】
次に、Ｓ１８０４にて、頻度集計データ生成部１３０は、Ｓ１８０３で検索した結果、取得したレコード（診療識別と使用量と点数とからなるレコード）の数を、人数としてカウントする。
【００９２】
次に、Ｓ１８０５にて、頻度集計データ生成部１３０は、Ｓ１８０２で選択した医薬品コードと、Ｓ１８０３で抽出した診療識別と、使用量と、点数と、Ｓ１８０４でカウントした人数とを対応付けた医薬品頻度集計データを集計データ記憶部２４０に記憶する。これによって、集計データ記憶部２４０に記憶されている医薬品頻度集計データテーブル（前述、図１３）に新たな医薬品頻度集計データが追加される。
【００９３】
次に、Ｓ１８０６にて、頻度集計データ生成部１３０は、Ｓ１８０２ですべての医薬品コード（Ｓ１８０１で取得したマージ後診療報酬データに含まれるすべての医薬品コード）を選択したかを判定する。Ｓ１８０６にて、頻度集計データ生成部１３０が、Ｓ１８０２ですべての医薬品コードを選択していないと判定する場合（Ｓ１８０６−Ｎｏ）、Ｓ１８０２へ戻る。一方、Ｓ１８０６にて、頻度集計データ生成部１３０が、Ｓ１８０２ですべての医薬品コードを選択したと判定する場合（Ｓ１８０６−Ｙｅｓ）、医薬品頻度集計データ生成処理を終了する。
【００９４】
＜診療行為頻度集計データ生成処理＞
図１９は、本発明の一実施の形態における診療行為頻度集計データ生成処理の概要を示す図である。診療行為頻度集計データ生成処理では、頻度集計データ生成部１３０は、マージ後診療報酬データ記憶部２２０から取得したマージ後診療報酬データ（前述、図７）に基づき、診療行為頻度集計データ（前述、図１４）を生成する。
【００９５】
まず、Ｓ１９０１にて、頻度集計データ生成部１３０は、マージ後診療報酬データ記憶部２２０からマージ後診療報酬データをすべて取得する。
【００９６】
次に、Ｓ１９０２にて、頻度集計データ生成部１３０は、Ｓ１９０１で取得したマージ後診療報酬データに含まれる、いずれかの診療行為コードを選択する。なお、頻度集計データ生成部１３０は、未選択の診療行為コードを選択する。
【００９７】
次に、Ｓ１９０３にて、頻度集計データ生成部１３０は、Ｓ１９０２で選択した診療行為コードをキーとして、Ｓ１９０１で取得したマージ後診療報酬データを検索する。そして、頻度集計データ生成部１３０は、診療行為コードと対応する、診療識別と、数量データと、点数とをすべて抽出する。
【００９８】
次に、Ｓ１９０４にて、頻度集計データ生成部１３０は、Ｓ１９０３で検索した結果、取得したレコード（診療識別と数量データと点数とからなるレコード）の数を、人数としてカウントする。
【００９９】
次に、Ｓ１９０５にて、頻度集計データ生成部１３０は、Ｓ１９０２で選択した診療行為コードと、Ｓ１９０３で抽出した診療識別と、数量データと、点数と、Ｓ１９０４でカウントした人数とを対応付けた診療行為頻度集計データを集計データ記憶部２４０に記憶する。これによって、集計データ記憶部２４０に記憶されている診療行為頻度集計データテーブル（前述、図１４）に新たな診療行為頻度集計データが追加される。
【０１００】
次に、Ｓ１９０６にて、頻度集計データ生成部１３０は、Ｓ１９０２ですべての診療行為コード（Ｓ１９０１で取得したマージ後診療報酬データに含まれるすべての診療行為コード）を選択したかを判定する。Ｓ１９０６にて、頻度集計データ生成部１３０が、Ｓ１９０２ですべての診療行為コードを選択していないと判定する場合（Ｓ１９０６−Ｎｏ）、Ｓ１９０２へ戻る。一方、Ｓ１９０６にて、頻度集計データ生成部１３０が、Ｓ１９０２にてすべての診療行為コードを選択したと判定する場合（Ｓ１９０６−Ｙｅｓ）、診療行為頻度集計データ生成処理を終了する。
【０１０１】
＜病名頻度集計データ生成処理＞
図２０は、本発明の一実施の形態における病名頻度集計データ生成処理の概要を示す図である。病名頻度集計データ生成処理では、頻度集計データ生成部１３０は、マージ後診療報酬データ記憶部２２０から取得したマージ後診療報酬データ（前述、図７）に基づき、病名頻度集計データ（前述、図１５）を生成する。
【０１０２】
まず、Ｓ２００１にて、頻度集計データ生成部１３０は、マージ後診療報酬データ記憶部２２０からマージ後診療報酬データをすべて取得する。
【０１０３】
次に、Ｓ２００２にて、頻度集計データ生成部１３０は、Ｓ２００１で取得したマージ後診療報酬データに含まれる、いずれかの傷病名コードを選択する。なお、頻度集計データ生成部１３０は、未選択の傷病名コードを選択する。
【０１０４】
次に、Ｓ２００３にて、頻度集計データ生成部１３０は、Ｓ２００２で選択した傷病名コードをキーとして、Ｓ２００１で取得したマージ後診療報酬データを検索する。そして、頻度集計データ生成部１３０は、傷病名コードと対応する、診療開始日と、修飾語コードと、傷病名称とをすべて抽出する。
【０１０５】
次に、Ｓ２００４にて、頻度集計データ生成部１３０は、Ｓ２００３にて検索した結果、取得したレコード（診療開始日と修飾語コードと傷病名称とからなるレコード）の数を、人数としてカウントする。
【０１０６】
次に、Ｓ２００５にて、頻度集計データ生成部１３０は、Ｓ２００２で選択した傷病名コードと、Ｓ２００３で抽出した、診療開始日と、修飾語コードと、傷病名称と、Ｓ２００４でカウントした人数とを対応付けた病名頻度集計データを集計データ記憶部２４０に記憶する。これによって、集計データ記憶部２４０に記憶されている病名頻度集計データテーブル（前述、図１５）に新たな病名頻度集計データが追加される。
【０１０７】
次に、Ｓ２００６にて、頻度集計データ生成部１３０は、Ｓ２００２ですべての傷病名コード（Ｓ２００１で取得したマージ後診療報酬データに含まれるすべての傷病名コード）を選択したかを判定する。Ｓ２００６にて、頻度集計データ生成部１３０が、Ｓ２００２ですべての傷病名コードを選択していないと判定する場合（Ｓ２００６−Ｎｏ）、Ｓ２００２へ戻る。一方、Ｓ２００６にて、頻度集計データ生成部１３０が、Ｓ２００２にてすべての傷病名コードを選択したと判定する場合（Ｓ２００６−Ｙｅｓ）、病名頻度集計データ生成処理を終了する。
【０１０８】
＜本実施の形態の効果＞
以上説明した本実施の形態における診療報酬データ変換システム１０によれば、移行データ変換部１２０が、カルテ番号をキーとしてマージ後診療報酬データを検索することで抽出したデータと、カルテ番号とを対応付けた移行データを移行データ記憶部２３０に記憶することで、移行前のシステムに記憶されている電子レセプトが他のシステムでも活用可能になる。
【０１０９】
また、頻度集計データ生成部１３０が、医薬品コードをキーとしてマージ後診療報酬データを検索することで抽出したデータの数を人数としてカウントし、医薬品コードと、抽出したデータと、人数とを対応付けた医薬品頻度集計データを集計データ記憶部２４０に記憶することで、医薬品を使用した人数を集計できる。
【０１１０】
また、頻度集計データ生成部１３０が、診療行為コードをキーとしてマージ後診療報酬データを検索することで抽出したデータの数を人数としてカウントし、診療行為コードと、抽出したデータと、人数とを対応付けた診療行為頻度集計データを集計データ記憶部２４０に記憶することで、診療がされた人数を集計できる。
【０１１１】
また、頻度集計データ生成部１３０が、傷病名コードをキーとしてマージ後診療報酬データを検索することで抽出したデータの数を人数としてカウントし、傷病名コードと、抽出したデータと、人数とを対応付けた病名頻度集計データを集計データ記憶部２４０に記憶することで、傷病名ごとの人数を集計できる。
【０１１２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【０１１３】
１０…診療報酬データ変換システム、
１１０…診療報酬データマージ部、１２０…移行データ変換部、１３０…頻度集計データ生成部、
２１０…マージ前診療報酬データ記憶部、２２０…マージ後診療報酬データ記憶部、２３０…移行データ記憶部、２４０…集計データ記憶部。
【図１】
2016099978.tif 000003
【図２】
2016099978.tif 000004
【図３】
2016099978.tif 000005
【図４】
2016099978.tif 000006
【図５】
2016099978.tif 000007
【図６】
2016099978.tif 000008
【図７】
2016099978.tif 000009
【図８】
2016099978.tif 000010
【図９】
2016099978.tif 000011
【図１０】
2016099978.tif 000012
【図１１】
2016099978.tif 000013
【図１２】
2016099978.tif 000014
【図１３】
2016099978.tif 000015
【図１４】
2016099978.tif 000016
【図１５】
2016099978.tif 000017
【図１６】
2016099978.tif 000018
【図１７】
2016099978.tif 000019
【図１８】
2016099978.tif 000020
【図１９】
2016099978.tif 000021
【図２０】
2016099978.tif 000022